(57)【要約】      （修正有）【課題】各地に生息し、夫々特有の曲線的又は直線的な飛び方や、夫々特有の発光周期を有する主要蛍種を、夫々に対応する明滅リズムに切り替え対応できる蛍誘因灯器とそれの遠隔リモコンとを組み合わせて使用するホタル誘引灯器具セットを提供する。【解決手段】Ｉ．Ｃチップ、コンデンサー、ダイオード、点滅コントローラー、及びトランジスターが、複数箇所の抵抗と共に配設してある回路基盤３と、それに配線で繋がるＬＥＤ赤色豆球４が、一つのケースの中に設置された箱体型のホタル誘引灯器１と、それをコントロールする遠隔操作用リモコン２との組み合わせで一組を成す。【選択図】図２
0003223207.tif 000002
【実用新案登録請求の範囲】
【請求項１】
電池電源で作動する回路基盤と、それに配線で繋がるＬＥＤ赤色豆球が、一つのケースの中に設置された箱体型のホタル誘引灯器と、それをコントロールする遠隔操作用リモコンとの組み合わせで一組を成すのであって、、
回路基盤にはＩ．Ｃチップ、コンデンサー、ダイオード、点滅コントローラー、及びトランジスターが、複数箇所の抵抗と共に配設してあり、
この箱体とは別途に用意された遠隔操作用リモコンと回路基盤との間の信号の送受信によって、源氏蛍、平家蛍、姫蛍等の夫々独自的な発光周期に対応して、ＬＥＤ赤色豆球の明滅リズムをコントロールし、
箱体には取っ手が付き、簡単に持運び移動ができ、好みの適所に簡単に吊り掛け又は置いたりの形で配置して使用される、
ということを特徴とするホタル誘引灯器具セット。
【考案の詳細な説明】
【技術分野】
【０００１】  本考案は、辺り一帯にまばらに飛び交っているホタルを、光で引き寄せて特定の場所に集合させるための誘引灯器具セットである。
【背景技術】
【０００２】  ホタルは、日本国内だけでも約４５種いると言われている。その中で、「光るホタル」は主に３種、即ち源氏蛍、平家蛍、姫蛍であり、生息地、飛び方、大きさも夫々異なり、明滅も夫々他種とは異なる独自の周期を持っている。
虫を誘引するための灯は、殆どの場合「捕虫」を目的とする器具であった。名目上ホタルを誘引する器具という売り文句で、ワンパターンで単に点滅するイルミネーション疑似ほたる装置はよく知られている。また、ホタルの発光周期に合わせて近似台形波状に明滅するホタル保護灯も知られている（特許文献１参照）。
【先行技術文献】
【特許文献】
【０００３】
【特許文献１】特開２００１−１７０２９号公報
【考案の概要】
【考案が解決しようとする課題】
【０００４】  点滅方法がワンパターンでは、各種ホタル夫々に特有の発光パターンに同調できないため、誘螢機能の効果が非常に限定的であった。
特許文献１に示される先行技術は、「ホタルの発光周期に合わせて明滅する」というものの、あたかホタル一般が実在するかの如く前提してあり、実際に存在する具体的な蛍種の夫々の独自性に即した対応機能としては極めて不十分であった。明滅周期において、例えば、源氏蛍は平家蛍に比して約３倍、姫蛍のオスに比して４倍近くあり、平家蛍は姫蛍のメスの４分の１近くしかなく、これを「ホタルの発光周期に合わせて・・・」という風に括ることはできない話である。
もし、本州・四国・九州の河川域でホタルを誘引しようとするならば、源氏蛍仕様の明滅周期でなければならず、水田・池・止水域で誘引する場合は平家ボタル仕様、山林を含む陸域で誘引する場合は姫蛍仕様を適用せねばならない。
また、飛び方も源氏蛍は曲線的、平家蛍は直線的、姫蛍はオスだけしか飛べない、ということも実際使用の場面では非常に大事な考慮要件となる。
本考案は、どの地域のどんな場所で使用されるのかに応じて、より適切な誘引効果へ導くべく、点灯のＯＮ−ＯＦＦは勿論、点滅周期における蛍各種仕様へのリモコン式切替手段を有するホタル誘引灯器具セットを提供せんとするものである。
【課題を解決するための手段】
【０００５】  電池電源で作動する回路基盤と、それに配線で繋がるＬＥＤ赤色豆球が、一つのケースの中に設置された箱体型のホタル誘引灯器と、それをコントロールする遠隔操作用リモコンとの組み合わせで一組を成す。回路基盤にはＩ．Ｃチップ、コンデンサー、ダイオード、点滅コントローラー、及びトランジスターが、複数箇所の抵抗と共に配設してある。この箱体とは別途に用意された遠隔操作用リモコンと回路基盤との間の信号の送受信によって、源氏蛍、平家蛍、姫蛍等の夫々独自的な発光周期に対応して、ＬＥＤ赤色豆球の明滅リズムをコントロールする。箱体には取っ手が付き、簡単に持運び移動ができ、好みの適所に簡単に吊り掛け又は置いたりの形で配置して使用される。
以上を特徴とするホタル誘引灯器具セットである。
【考案の効果】
【０００６】  観光スポットやテーマパークや公園等で、たくさんの人々を対象に蛍見物を楽しませるのに非常に効果的な用具である。見物者の歩く観賞コースに沿って、ホタル群を誘導し、例えば数十ｍ間隔で設置された各観賞スポットの見物客たちに、大差のないホタル数を引き寄せて楽しませる事が出来る。異なる地域におけるその地特有の蛍種の発光周期に応じて、ＬＥＤ赤色豆球の明滅リズムに切替セッティング出来るので、西日本であれ、中部であれ、東日本であれ、ホタル誘引の効果は等しく発揮することが出来る。
【図面の簡単な説明】
【０００７】
【図１】  本考案の一部である回路基盤の平面図
【図２】  本考案の構成２大要素であるホタル誘引灯器と遠隔操作用リモコンとをセットで使用している状態を示すイメージ斜視図
【図３】  本考案実際に使用している場面の風景を示すイメージ図
【考案を実施するための形態】
【０００８】  本考案は、電池電源（１４）で作動する回路基盤（３）と、それに配線で繋がるＬＥＤ赤色豆球（４）が、一つのケースの中に設置された箱体型のホタル誘引灯器（１）と、それをコントロールする遠隔操作用リモコン（２）との組み合わせで一組を成す。回路基盤（３）にはＩ．Ｃチップ（１２）、コンデンサー（９）、ダイオード（１０）、点滅コントローラー（６）、及びトランジスター（１１）が、複数箇所の抵抗（１３）と共に配設してある。この箱体とは別途に用意された遠隔操作用リモコン（２）と回路基盤（３）との間の信号の送受信によって、源氏蛍、平家蛍、姫蛍等の夫々独自的な発光周期に対応して、ＬＥＤ赤色豆球（４）の明滅リズムをコントロールする。箱体には取っ手（８）が付いて、簡単に持運び移動ができ、好みの適所に簡単に吊り掛け又は置いたりの形で配置して使用される。
本考案は、以上の様な構成であり、以下これが実際にどんな場所でどのように使用されるのかを説明する。
図３は、一つは、ホテル・旅館（Ａ）の前に水路・池（Ｄ）を利用し、周辺にテーブル・ベンチ（Ｃ）とホタル誘引灯器を設置して、特別のホタル観賞コースを設けて、宿泊客や一般の見物客を引きつけるサービス商品メニューとして利用している風景のイメージ図（ａ）であり、もう一つは、本考案を簡単に設置して、通常は何気ない田んぼ（Ｆ）地帯の一角に山・林（Ｇ）を背景にして、畦道（Ｈ）にホタル誘引灯器（１）を配置し、テーブル・ベンチ（Ｃ）とホタル誘引灯器（１）で道路を観賞通路（Ｅ）として演出し、俄かに素朴で本物のホタル観賞場を設営したイメージ図（ｂ）である。
また、水路・池（Ｄ）を造設し、濾過槽を設け、周囲の湿地に植栽を施し、元々の草木や高木を十分に活用し、ホタルの飼育から販売業まで一貫事業とするビオトープビジネスにも大いに活用できる。
【符号の説明】
【０００９】１  ホタル誘引灯器，    ２  遠隔操作用リモコン，    ３  回路基盤，
４  ＬＥＤ赤色豆球，    ５  手動−リモコン切替スイッチ，
６  点滅コントローラー，    ７  収納ケース，    ８  取っ手，
９  コンデンサー，    １０  ダイオード，    １１  トランジスター，
１２  ＩＣチップ，    １３  抵抗，    １４  電源，
Ａ  ホテル・旅館，    Ｂ  見物客，    Ｃ  テーブル・ベンチ，
Ｄ  水路・池，    Ｅ  観賞通路，    Ｆ  田んぼ，    Ｇ  山・林，
Ｈ  畦道
【図１】
0003223207.tif 000003
【図２】
0003223207.tif 000004
【図３】
0003223207.tif 000005